(57)【要約】【課題】遠隔操作用の送信機の使い勝手を向上させる。【解決手段】電子機器１は、予め定める特定機能を実行可能な本体２と、特定機能の遠隔操作用の送信機３とを有する。情報表示用の表示部６は、本体２側に備えられる。送信機３に備えられる第２操作部１１の操作に関する情報は本体２の表示部６に表示されるので、送信機３の携帯性を損ねることなく、送信機３の操作が解り易くなる。また送信機３の機能設定時には、設定すべき機能自体の指示に用いられるコードが用いられ、機能設定開始および終了を指示する信号が該コードの送信の前後に送信される。ゆえに電子機器１は、送信機の設定に関する構成を簡素化することができる。【選択図】      図１
2004247860.tif 000002
【特許請求の範囲】
【請求項１】
本体と遠隔操作用の送信機とを有する電子機器において、
本体が、
予め定める特定機能を実行するための実行手段と、
情報を表示するための表示手段と、
送信機から送信される制御信号を受信する受信手段と、
操作者からの操作入力に応答して第１操作信号を出力する第１操作手段と、
第１操作手段からの第１操作信号と前記受信手段が受信する制御信号とに基づき、特定機能が実行されるように前記実行手段を制御する第１制御手段とを含み、
送信機が、
操作者からの操作入力に応答して第２操作信号を出力する第２操作手段と、
本体に対して制御信号を送信するための送信手段と、
第２操作手段からの第２操作信号に基づき、本体へ送信すべき制御信号を生成して送信手段に送信させ、かつ、送信手段を介して第２操作手段の操作に係る情報を表示手段に表示させる第２制御手段とを含むことを特長とする電子機器。
【請求項２】
前記表示手段が、前記本体および送信機とは別個の筐体に収められていることを特長とする請求項１記載の電子機器。
【請求項３】
前記第１制御手段が、前記送信機に関連する情報を前記表示手段にさらに表示させることを特長とする請求項１または２記載の電子機器。
【請求項４】
前記第２制御手段が、前記送信機に関連する情報の表示を指示するための予め定める制御信号を前記送信手段から前記本体に対して送信させ、
前記受信手段による前記送信機からの制御信号の受信に応答して、前記第１制御手段が前記送信機に関連する情報を前記表示手段に表示させることを特長とする請求項１〜３のうちのいずれか１項記載の電子機器。
【請求項５】
前記送信機による前記本体以外の外部機器に対応する制御信号の送出が可能である場合、前記第２操作手段に対する予め定める特定操作に応答して、前記第２制御手段が、前記外部機器に対する制御信号の送出に係る設定を行い、かつ、送信手段を介して該設定に係る情報を表示手段に表示させることを特長とする請求項１〜４のうちのいずれか１項記載の電子機器。
【請求項６】
前記送信機の動作設定時に、前記第２制御手段が、該動作設定の開始を指示する設定開始信号と、設定すべき事項を指示するために通信機から送信されるべきコードを含む信号と、該動作設定の終了を指示する設定終了信号とを、前記送信手段から前記本体に対して順次送信させ、
前記第１制御手段が、前記受信手段による前記設定開始信号の受信時から前記設定終了信号の受信時までの間に受信される信号内のコードを用いて、該コードが指示すべき事項の設定を行うことを特長とする請求項１〜５のうちのいずれか１項記載の電子機器。
【請求項７】
前記第２操作手段の操作に係る情報を表示すべき前記特定機能が複数ある場合、前記第２制御手段が、各特定機能毎に、前記制御信号の送信と前記操作に係る情報の前記表示手段への表示とを行わせることを特長とする請求項１〜６のうちのいずれか１項記載の電子機器。
【発明の詳細な説明】
【０００１】
【発明の属する技術分野】
本発明は、送信機を用いて本体を遠隔操作可能な電子機器に関する。
【０００２】
【従来の技術】
従来、電子機器に広く用いられているリモートコントロール用の送信機は、電子機器の本体において制御される機能に対して割当てられたキー入力部を備え、所望する機能に対応するキーを押下することによって、該キーの押下に予め割当てられた制御信号を本体に送信する。送信機からの制御信号を受信した本体電子機器は制御信号を解読し、制御信号に該当する機能を実行するとともに、実行された機能に関連する表示を行うようにしている。
【０００３】
近年、本体の機能の増加、および複数の本体を単一のリモートコントロール用送信機を用いて制御する状況の発生等に起因して、送信機に必要とされるキー入力数が多くなってきている。また、利用者に送信機自体の設定を行わせるために、予め定める一定の手順を設けることによって、入力を節約しようとする場合も多い。
【０００４】
第１の従来技術および第２の従来技術は、本体の複数の機能を単一の送信機で遠隔操作する技術を開示している。第１および第２の従来技術では、各機能の制御に用いられる制御信号の規格が相互に異なっており、送信機に備えられるキーボードに対する利用者の最初の操作に応答して、送信機から本体に送信される制御信号が切換えられる。しかしながら、送信機は携帯性も重視する必要があるので、限られたスイッチしか持たないキー入力部を用いて多くの機能の遠隔操作を実現することは、電子機器の操作性を著しく低いものにする。
【０００５】
【特許文献１】
ＵＳＰ  ５８７２．５６２号公報
【特許文献２】
ＵＳＰ  ４７０３．３５９号公報
【０００６】
【発明が解決しようとする課題】
上述したように、従来技術の電子機器では、リモートコントロール用の送信機の機能が複雑化しているため、電子機器の操作性が低下しやすい。送信機単体での操作性を改善するために、従来技術では、送信機に操作状態を案内する表示装置を送信機に設けている場合がある。この場合、送信機の操作性を向上するが、送信機の送信機の外形を大きくする必要がある。このため、本来必要とされている送信機の携帯性を阻害するとともに、表示装置を設けたことに起因する価格引上げの要因となっている。
【０００７】
本発明の目的は、本体のリモートコントロール用の送信機を備える電子機器において、送信機の携帯性を損なうことなく、送信機自体の機能に対する操作性を改善することが出来る電子機器を提供することである。
【０００８】
【課題を解決するための手段】
本発明は、本体と遠隔操作用の送信機とを有する電子機器において、
本体が、
予め定める特定機能を実行するための実行手段と、
情報を表示するための表示手段と、
送信機から送信される制御信号を受信する受信手段と、
操作者からの操作入力に応答して第１操作信号を出力する第１操作手段と、
第１操作手段からの第１操作信号と前記受信手段が受信する制御信号とに基づき、特定機能が実行されるように前記実行手段を制御する第１制御手段とを含み、
送信機が、
操作者からの操作入力に応答して第２操作信号を出力する第２操作手段と、
本体に対して制御信号を送信するための送信手段と、
第２操作手段からの第２操作信号に基づき、本体へ送信すべき制御信号を生成して送信手段に送信させ、かつ、送信手段を介して第２操作手段の操作に係る情報を表示手段に表示させる第２制御手段とを含むことを特長とする電子機器である。
【０００９】
本発明に従えば、電子機器は、送信機を用いて本体の特定機能を遠隔操作することが可能になるように構成される。送信機に備えられる第２操作手段の操作に際しては、該操作に係る情報が本体の表示手段に表示される。これによって、送信機に表示手段が備えられていなくても、本体の表示手段を利用するので、電子機器は、操作に係る表示を必要とするような煩雑な操作を送信機が必要とする場合であっても、送信機の携帯性を損ねることなく、送信機の操作を解り易くすることができる。
【００１０】
本発明の電子機器は、前記表示手段が、前記本体および送信機とは別個の筐体に収められていることを特長とする。
【００１１】
本発明に従えば、電子機器は、表示手段が本体および送信機から独立した外部機器になっている。これによって、電子機器は、表示手段を具備する外部機器を本体が利用する場合も、送信機の携帯性を損ねることなく、送信機の操作を解り易くすることができる。
【００１２】
本発明の電子機器は、前記第１制御手段が、前記送信機に関連する情報を前記表示手段にさらに表示させることを特長とする。
【００１３】
本発明に従えば、電子機器において、送信機の操作に係る情報だけでなく、操作以外の送信機に関連する情報も、本体の表示手段にさらに表示される。これによって、電子機器は、送信機の携帯性を損ねることなく、送信機の操作をより解り易くすることができる。
【００１４】
本発明の電子機器は、前記第２制御手段が、前記送信機に関連する情報の表示を指示するための予め定める制御信号を前記送信手段から前記本体に対して送信させ、
前記受信手段による前記送信機からの制御信号の受信に応答して、前記第１制御手段が前記送信機に関連する情報を前記表示手段に表示させることを特長とする。
【００１５】
本発明に従えば、電子機器において、送信機からの制御信号の受信に応答して、本体の表示手段に送信機に関連する情報がさらに表示される。これによって、電子機器は、送信機の携帯性を損ねることなく、送信機の操作をより解り易くすることができる。
【００１６】
本発明の電子機器は、前記送信機による前記本体以外の外部機器に対応する制御信号の送出が可能である場合、前記第２操作手段に対する予め定める特定操作に応答して、前記第２制御手段が、前記外部機器に対する制御信号の送出に係る設定を行い、かつ、送信手段を介して該設定に係る情報を表示手段に表示させることを特長とする。
【００１７】
本発明に従えば、電子機器において、送信機は、本体の遠隔制御だけでなく、本体以外の外部機器の遠隔制御も可能になるように構成されている。この場合、外部機器の遠隔制御に係る設定時に、該設定に関連する情報が本体の表示手段に表示される。これによって、本体と外部機器との遠隔制御が両方とも可能な状況下において、送信機の携帯性を損ねることなく、送信機の設定に関する操作をより解り易くすることができる。
【００１８】
本発明の電子機器は、前記送信機の動作設定時に、前記第２制御手段が、該動作設定の開始を指示する設定開始信号と、設定すべき事項を指示するために通信機から送信されるべきコードを含む信号と、該動作設定の終了を指示する設定終了信号とを、前記送信手段から前記本体に対して順次送信させ、
前記第１制御手段が、前記受信手段による前記設定開始信号の受信時から前記設定終了信号の受信時までの間に受信される信号内のコードを用いて、該コードが指示すべき事項の設定を行うことを特長とする。
【００１９】
本発明に従えば、電子機器において、送信機の機能設定時に、設定すべき機能自体の指示に用いられるコードの送信に前後して、機能設定開始および終了を指示する信号が送信される。これによって、設定すべき機能自体の指示に通常用いられるコードを用いて、送信機の機能設定を行うことが出来るので、機能設定用のコードを別途も受ける必要がなくなるため、電子機器の構成を簡素化することができる。
【００２０】
本発明の電子機器は、前記第２操作手段の操作に係る情報を表示すべき前記特定機能が複数ある場合、前記第２制御手段が、各特定機能毎に、前記制御信号の送信と前記操作に係る情報の前記表示手段への表示とを行わせることを特長とする。
【００２１】
本発明に従えば、電子機器において、前記第２操作手段の操作に係る情報を表示すべき前記特定機能が複数ある場合、前記制御信号の送信と前記操作に係る情報の前記表示手段への表示とが、各特定機能毎に行われる。これによって、前記特定機能が複数ある場合であっても、送信機の携帯性を損ねることなく、送信機の操作を解り易くすることができる。
【００２２】
【発明の実施の形態】
図１は、本発明の実行の一形態である電子機器１の構成を示すブロック図である。電子機器１は、本体２と、本体２の遠隔操作用の送信機３とを有する。本体２は、実行部５と、表示部６と、受信部７と、第１操作部８と、第１制御部９とを含む。送信機３は、第２操作部１１と、送信部１２と、第２制御部１３とを含む。
【００２３】
実行部５は、本体２が備えている予め定める特定機能を実行するためのユニットである。表示部６は、情報を表示するために用いられる。受信部７は、送信機３からの制御信号の受信に用いられる。第１操作部８は、操作者からの操作入力に応答して、第１操作信号を出力する。第１制御部９は、第１操作部８からの第１操作信号と受信部７が受信する制御信号とに基づき、特定機能が実行されるように実行部５を制御する。第２操作部１１は、操作者からの操作入力に応答して、第２操作信号を出力する。送信部１２は、本体２に対する制御信号の送信に用いられる。第２制御部１３は、第２操作部１１からの第２操作信号に基づき、本体２へ送信すべき制御信号を生成して送信部１２に送信させ、かつ、第２操作部１１の操作に係る情報を送信部１２を介して本体２の表示部６に表示させる。
【００２４】
具体的には、図１の電子機器１において、送信機３の第２制御部１３は第２操作部１１を用いて検出した利用者の操作入力に応答して、各操作入力に予め割当てられた制御信号を、予め定められたリモートコントロール送信方式に基づいて送信用の制御信号に変換し、送信部１２を用いて本体２に送信する。送信機３からの制御信号は、本体２の受信部７によって受信され、第１制御部９によって制御信号として解読される。第１制御部９は、解読結果である制御信号に予め対応付けられている機能を実行部５を用いて実行するとともに、該機能に関連した情報を表示部６を用いて表示する。また第１制御部９は本体２に設けられた第１操作部８からの利用者の操作入力にも応答して、該操作入力に予め対応付けられている機能を実行部５を用いて実行する。
【００２５】
このように、図１の電子機器１は、本体２の特定機能を送信機３を用いて遠隔操作することが可能になるように構成される。送信機３の第２操作部１１の操作に際しては、該操作に係る情報が本体２の表示部６に表示される。これによって、送信機３に表示部６が備えられていなくても本体２の表示部６を利用することができるので、図１の電子機器１は、操作に係る表示を必要とするような煩雑な操作を送信機３が必要とする場合であっても、送信機３の携帯性を損ねることなく、送信機３の操作を解り易くすることができる。
【００２６】
また、図１の電子機器１において、表示部６が前記本体２および送信機３とは別個の筐体に収められていてもよい。すなわち、表示部６が本体２および送信機３から独立した外部機器になっていてもよい。これによって、電子機器１は、表示部６を具備する外部機器を本体２が利用する場合も、送信機３の携帯性を損ねることなく、送信機３の操作を解り易くすることができる。
【００２７】
また好ましくは、図１の電子機器１において、送信機３に関連する情報が、表示部６にさらに表示される。具体的には、最初に、該送信機３に関連する情報の表示を指示するための予め定める制御信号を、送信機３の第２制御部１３が、送信部１２から本体２に対して送信させる。本体２では、受信部７による送信機３からの前記制御信号の受信に応答して、第１制御部９が送信機３に関連する情報を表示部６に表示させる。これによって、電子機器１は、送信機３側の表示部６を不要とすることができるので、送信機３の携帯性を損ねることなく、送信機３の操作をより解り易くすることができる。
【００２８】
さらにまた好ましくは、図１の電子機器１において、送信機３が、本体２の遠隔制御だけでなく、本体２以外の外部機器の遠隔制御も可能になるように構成されている。この場合、送信機３において、第２操作部１１に対する予め定める特定操作に応答して、第２制御部１３が前記外部機器に対する制御信号の送出に係る設定を行い、かつ、第２制御部１３が該設定に係る情報を送信部１２を介して表示部６に表示させる。このように、図１の電子機器１において、本体２と外部機器との遠隔制御が両方とも可能な状況下において、外部機器の遠隔制御に係る設定時に、該設定に係る情報が本体２の表示部６に表示される。これによって図１の電子機器１は、送信機３の携帯性を損ねることなく、送信機３の設定に関する操作をより解り易くすることができる。
【００２９】
また好ましくは、図１の電子機器１において、送信機３の動作設定に際して、設定すべき動作自体の指示に用いられるコードの送信に前後して、動作設定開始および終了を指示する信号が送信される。具体的には、送信機３において、第２制御部１３が、該動作設定の開始を指示する設定開始信号と、設定すべき事項を指示するために通信機から送信されるべきコードを含む信号と、該動作設定の終了を指示する設定終了信号とを、送信部１２から本体２に対して、この順で順次送信させる。本体２では、第１制御部９が、受信部７による設定開始信号の受信時から設定終了信号の受信時までの間に受信される信号内のコードを用いて、該コードが指示すべき事項の設定を行う。これによって、設定すべき機能自体の指示に通常用いられるコードを用いて送信機３の機能設定を行うことが出来るので、機能設定用のコードを別途も受ける必要がなくなるため、電子機器１の構成を簡素化することができる。
【００３０】
また好ましくは、図１の電子機器１において、第２操作部１１の操作に係る情報を表示すべき特定機能が複数ある場合、第２制御部１３が、制御信号の送信と操作に係る情報の表示部６への表示とを、各特定機能毎に行わせる。これによって、特定機能が複数ある場合であっても、送信機３の携帯性を損ねることなく、送信機３の操作を解り易くすることができる。
【００３１】
以上説明したように、図１の電子機器１は、送信機３の動作に係る操作性を改善するために、送信機３の操作に関連する表示を本体２の表示部６に表示させる。特に、説明がなければ利用者に解りづらいような機能の実行、たとえば送信機３自体に係る機能の実行に際し、本体２の表示部６を利用して該機能に関連する表示を行う。この結果、たとえば、利用者は、送信機３の設定等に係る操作を、操作内容を確認しながら行うことができる。これによって、図１の電子機器１は、送信機３自体に表示部６を設けることなく操作性を改善することができるため、表示部６を備える場合よりも送信機３の外形を小さくすることが可能となる。したがって電子機器１は、送信機３を使い易くするとともに、価格を抑制することができる。
【００３２】
図２は図１の電子機器１において、送信機３に係る処理を行う際の送信機３の第２制御部１３および本体２の第１制御部９の具体的な状態の遷移を示す図である。図２の例では、送信機３の操作に関連する表示を本体２の表示部６に表示させるべき状況の１例として、送信機３の機能設定に係る状況を示している。
【００３３】
送信機３の第２制御部１３の通常動作状態２１とは、利用者の操作入力に従った制御信号を本体２に送信する動作を行う通常の動作状態である。通常動作状態２１下において予め定める特定の操作が行われたとき、第２制御部１３は、予め定める制御信号の１つであり該操作入力に対応する表示要求信号２３を本体２に送信するとともに、機能設定状態２２に遷移する。
【００３４】
送信機３の第２制御部１３の機能設定状態２２とは、送信機３の操作に関連する表示を本体２の表示部６に表示させるべき状態の１つであって、送信機３の機能設定を行う状態である。機能設定状態２２下において、利用者の所望の機能の設定に関連付けられる操作が行われると、該操作に対応付けられる機能設定が実行される。所望操作後に、予め定める特定の操作入力が行われると、第２制御部１３は、予め定める制御信号の１つであり該操作入力に対応する表示解除信号２４を本体２に送信するとともに、通常動作状態２１に遷移する。
【００３５】
本体２の第１制御部９の通常動作状態２５とは、本体２の特定機能を実行すべき通常の動作状態である。表示要求信号２３の受信に応答して、第１制御部９は、通常動作状態２５からリモートコントロール表示状態２６へ遷移する。リモートコントロール表示状態２６では、第１制御部９は、本体２の機能に関連する情報の表示の代わりに、送信機３の操作情報に基づく表示を、表示部６に行わせる。また表示解除信号２４の受信に応答して、第１制御部９は、リモートコントロール表示状態２６から通常動作状態２５へ遷移する。
【００３６】
送信機３において表示要求信号２３の送信と機能設定状態２２への遷移とを指示するための操作入力は、たとえば、第２操作部１１のキーの多重押しが割当てられる。表示要求信号２３の送信および機能設定状態２２への遷移の指示は入力頻度が少ないと予想されるため、キーの多重押しを割当てても利用者の手間は少ないと考えられ、またキー入力数を削減することができる。
【００３７】
図１の送信機３は、好ましくは、複数の遠隔操作信号方式に対応している。以下の説明では、送信機３が複数の遠隔操作信号方式に対応しており、本体２がオーディオ機器であって、さらに送信機３が本体２以外の外部機器であるテレビ機器の遠隔操作にも利用可能である場合を例としている。また送信機３が、制御信号の送信に赤外線を用いていると仮定する。
【００３８】
図３は、赤外線使用の送信機３の外観を概略的に示す図である。送信機３の第２操作部１１は、複数のキーを備える。第２操作部１１のキーは、送信機３の筐体の一面に並んで配置されている。第２操作部１１のキーは、たとえば、本体２であるオーディオ機器の操作に主に使用されるキーの他に、外部機器であるテレビ機器の操作に用いられるキーであるテレビ機器操作部３１を含む。オーディオ機器の操作に主に使用されるキーには、「０」〜「９」の数字を入力するための番号入力キー群３２と、操作入力の確定に用いられる確定キー３３と、キーの多重押し時に用いられるシフトキー３４とが含まれる。テレビ機器操作部３１には、テレビ機器の電源の投入の指示に用いられるテレビ機器電源キー３５が含まれる。
【００３９】
赤外線リモートコントロールに使用される信号フォーマットはたとえば、外部機器の製造元毎に設定されている。単一の送信機３でテレビ機器を制御するためには目的とするテレビ機器に合致した信号フォーマットを第２操作部１１のキー入力に割当てる必要がある。以下の例では、複数の遠隔操作信号方式の信号フォーマットが予め送信機３内部に備えられおり、第２操作部１１の複数通りのキー入力に該信号フォーマットが１対１対応で割当てられている。第２操作部１１からのキー入力に応答して、使用すべき信号フォーマットを送信機３の第２制御部１３が切換えることによって、送信機３が複数の製造元のテレビ機器を遠隔操作することが可能になる。
【００４０】
【表１】
2004247860.tif 000003
【００４１】
表１は、外部機器であるテレビ機器の製造元と、該製造元に対応する遠隔操作信号方式の設定番号との対応を示す表である。以下の例では、遠隔操作信号方式に割当てられるキー入力として、設定番号を入力するための第２操作部１１のキー入力が用いられる。すなわち、表１のような対応表が送信機３内部に予め備えられており、第２制御部１３が機能設定状態２２にある状況下において第２操作部１１からいずれかの設定番号が入力されると、使用すべき信号フォーマットが該設定番号に対応付けられた信号フォーマットに切換えられる。
【００４２】
図１の送信機３における遠隔操作信号方式の信号フォーマットの切換え手続きを、Ｃ社の信号フォーマットに対応する設定番号「０３」が入力される場合を例として、図４を用いて説明する。図４は、本体２がリモートコントロール表示状態２６に遷移した状況下における表示部６の表示状態を示す図である。
【００４３】
たとえば、図３の概観を有する送信機３において、送信機３が通常動作状態２１にある状況下で、利用者は、シフトキー３４を押下しながらテレビ機器操作部３１のテレビ電源キーを押下する。シフトキー３４とテレビ機器電源キー３５との同時押しの操作に応答して、送信機３から本体２へ表示要求信号２３が送出される。この結果、本体２がリモートコントロール表示状態２６に遷移すると共に、送信機３自身も機能設定状態２２に遷移する。本体２が通常動作状態２５からリモートコントロール表示状態２６に遷移した状況下では、本体２の表示部６には、図４（Ａ）に示すような、キー入力の受付状態にあることを示す表示がなされる。図４の表示状態では、表示部６内にリモートコントロール表示状態セグメント３７が表示される。リモートコントロール表示状態セグメント３７は、本体２がリモートコントロール表示状態２６であることを示す。
【００４４】
機能設定状態２２への遷移後、利用者はリモートコントロール信号形式毎に予め割当てられている２桁の番号を、番号入力キー部を用いて入力する。送信機３の第２制御部１３は、自らに送信コードの設定番号を入力するとともに、操作入力された番号に対応する制御コードを本体２に送信する。制御コードの受信に応答して、本体２の第１制御部９は、受信した制御コードを表示部６のキャラクタ表示部３８に表示する。
【００４５】
制御コードの送受に際し、送信機３の各番号入力キーに対応しており送信機３より送信される制御コードは、送信機３の通常動作状態２１下で使用される制御コードとは別のコードとすることも可能である。しかしながら、図４の例では、本体２が既にリモートコントロール表示状態２６に遷移しているため、制御コードの送受が本体２自体の機能の制御のためではないことは本体２で判別可能である。ゆえに、通常動作状態２１下で送信される制御コードと機能設定状態２２下で送信される制御コードとを区別せず、両状況下で同じ制御コードを用いても良い。
【００４６】
図４（Ｂ）および図４（Ｃ）は、番号入力キー群３２の「０」キーおよび「３」キーが順に押下されたときの表示部６の表示状態の遷移を示す。上述の手順に従って設定番号が操作入力されたのち、設定の入力を行うため、利用者は確定キー３３を押下する。確定キー３３の押下操作によって、送信機３の第２制御部１３は、本体２に対して表示解除信号２４を送信して、本体２を通常動作状態２５に遷移させる。最後に、送信機３は、送信フォーマットの設定変更手順を完了するとともに、通常動作状態２１に復帰する。
【００４７】
図４の例で説明したように、表示要求信号２３および表示解除信号２４を用いて本体２および送信機３の状態を遷移させつつ、単にキー入力に対応した表示を表示部６に行わせる場合、送信機３と本体２とが状態遷移および表示内容の送信機３からの制御にそれぞれ対応しているならば、電子機器１を構成する送信機３と本体２との組合せを特定する必要がないので、送信機３および本体２の汎用性を高めることができる。
【００４８】
図１の電子機器１において、上述のテレビ機器で実現される本体２以外に本体２となる外部機器があり、送信機３に設定すべき項目が複数あってもよい。この場合、送信機３を機能設定状態２２に遷移させるための特定のキー入力を複数通り設定しておき、機能設定状態２２を複数設けることによって、単一の送信機３で複数の本体２を制御する状況下において、送信機３に係る情報を本体２の表示部６に表示させることが可能になる。またこの場合、送信機３が機能設定状態２２に移行した状況下で設定内容を利用者にさらに指定させることによっても、複数の設定項目に対応することができる。また、送信機３の送信部１２と本体２の受信部７との間で使用される信号の伝搬手法は、たとえば、赤外線伝搬、光伝搬、および電波伝搬が考えられる。図１の電子機器１は、信号の伝搬手法を限定することなく実現することができる。
【００４９】
【発明の効果】
以上のように本発明によれば、送信機と本体とを備える電子機器は、送信機を用いて本体の特定機能を遠隔操作することが可能である。送信機の操作に係る情報は、本体に備えられる表示手段に表示される。これによって、電子機器は、送信機の携帯性を損ねることなく、送信機の操作を解り易くすることができる。
【００５０】
また本発明によれば、電子機器は、本体および送信機から独立した外部機器である表示手段を用いて、送信機の操作に係る情報を表示する。これによって、電子機器は、表示手段を具備する外部機器を利用する場合も、送信機の携帯性を損ねることなく、送信機の操作を解り易くすることができる。
【００５１】
さらにまた本発明によれば、電子機器において、送信機の操作に係る情報だけでなく、送信機に関連する情報も、本体の表示手段にさらに表示される。これによって、電子機器は、送信機の携帯性を損ねることなく、送信機の操作をより解り易くすることができる。
【００５２】
また本発明によれば、電子機器において、送信機に関連する情報は、送信機からの制御信号の受信に応答して、本体の表示手段に表示される。これによって、電子機器は、送信機の操作をより解り易くすることができる。
【００５３】
さらにまた本発明によれば、電子機器において、送信機による遠隔制御は本体だけでなく外部機器に対しても可能である場合、該遠隔制御に係る設定に関連する情報が本体の表示手段に表示される。これによって、電子機器は、送信機の携帯性を損ねることなく、送信機の設定に関する操作をより解り易くすることができる。
【００５４】
また本発明によれば、電子機器において、送信機の機能設定時に、設定すべき機能自体の指示に用いられるコードの送信の前後に、機能設定開始および終了を指示する信号が送信される。これによって、電子機器は、構成を簡素化することができる。
【００５５】
さらにまた本発明によれば、電子機器において、送信機の操作に係る情報を表示すべき特定機能が複数ある場合、制御信号の送信と操作に係る情報の表示とが、各特定機能毎に行われる。これによって、特定機能が複数ある場合であっても、送信機の操作を解り易くすることができる。
【図面の簡単な説明】
【図１】本発明の実行の一形態である電子機器１の構成を示すブロック図である。
【図２】図１の送信機３の第２制御部１３および本体２の第１制御部９の具体的な状態遷移を示す図である。
【図３】赤外線使用の送信機３の外観を概略的に示す図である。
【図４】本体２の表示部６の表示状態を示す図である。
【符号の説明】
１  電子機器
２  本体
３  送信機
５  実行部
６  表示部
７  受信部
８  第１操作部
９  第１制御部
１１  第２操作部
１２  送信部
１３  第２制御部
【図１】
2004247860.tif 000004
【図２】
2004247860.tif 000005
【図３】
2004247860.tif 000006
【図４】
2004247860.tif 000007
【手続補正書】
【提出日】平成15年2月12日(2003.2.12)
【手続補正１】
【補正対象書類名】図面
【補正対象項目名】図１
【補正方法】変更
【補正の内容】
【図１】
2004247860.tif 000008
【手続補正２】
【補正対象書類名】図面
【補正対象項目名】図２
【補正方法】変更
【補正の内容】
【図２】
2004247860.tif 000009
【手続補正３】
【補正対象書類名】図面
【補正対象項目名】図３
【補正方法】変更
【補正の内容】
【図３】
2004247860.tif 000010